(57)【要約】【課題】使用する部品の種類数を抑え、手配や管理の手間を抑える。【解決手段】二本の際根太１２のそれぞれの端部を上面に載せて支持する受け部材２１と、前記受け部材２１を支持する支持脚２２と、前記受け部材２１から上方に突出し、二本の前記際根太１２のそれぞれの幅方向への移動を規制する移動規制部材２３と、を備え、前記移動規制部材２３は、前記受け部材２１で支持する前記際根太１２の軸方向の向きを切り替え可能に設けられている。【選択図】図２
2015203217.tif 000002
【特許請求の範囲】
【請求項１】
二本の際根太のそれぞれの端部を上面に載せて支持する受け部材と、
前記受け部材を支持する支持脚と、
前記受け部材から上方に突出し、二本の前記際根太のそれぞれの幅方向への移動を規制する移動規制部材と、を備え、
前記移動規制部材は、前記受け部材で支持する前記際根太の軸方向の向きが切り替え可能に設けられていることを特徴とする際根太支持部材。
【請求項２】
前記移動規制部材は、
前記受け部材の表面に沿った第一の方向の端部に設けられた第一の移動規制部材と、
前記受け部材の表面に沿い前記第一の方向と直交する第二の方向の端部に設けられた第二の移動規制部材と、を備え、
前記第一の移動規制部材および前記第二の移動規制部材は、前記受け部材から除去可能に設けられていることを特徴とする請求項１に記載の際根太支持部材。
【請求項３】
前記移動規制部材は、
前記受け部材の表面に沿った第一の方向の端部を塞ぐ状態と、
前記受け部材の表面に沿い前記第一の方向と直交する第二の方向の端部を塞ぐ状態とで、切り替え可能とされていることを特徴とする請求項１に記載の際根太支持部材。
【請求項４】
前記移動規制部材は、
前記受け部材の表面に沿った第一の方向に連続する固定壁と、
前記固定壁に対して第二の方向に間隔を空けて対向し、前記第一の方向に間隔を空けて設けられた複数のガイドピンと、
を備えていることを特徴とする請求項１に記載の際根太支持部材。
【請求項５】
スラブ上に設置された、請求項１から４のいずれか一項に記載の際根太支持部材と、
前記際根太支持部材上に支持された際根太と、
前記際根太上に設けられた床板材と、
を備えることを特徴とする二重床。
【発明の詳細な説明】
【技術分野】
【０００１】
本発明は、際根太支持部材およびそれを用いた二重床に関する。
【背景技術】
【０００２】
集合住宅等の建物において、建物の躯体を構成するコンクリート製のスラブ上に、支持部材を介して根太を設け、根太上に床面材を設ける二重床構造が広く用いられている。
【０００３】
根太は、水平方向に延び、少なくともその両端部が支持部材によってそれぞれ支持されている。それぞれの支持部材は、根太を受ける受け具と、受け具を支持する支持脚と、を備えている。
図１２に示すように、躯体の壁１に沿って複数本の際根太２が連続して設けられる場合、それぞれの際根太２の両端部に支持部材３を配置すると、二本の際根太２，２どうしが連続する部分で、一方の際根太２の端部に設けられた支持部材３と、他方の際根太２の端部に設けられた支持部材３とが近接して位置することとなる。
このように、二つの支持部材３，３が近接して配置されていると、際根太２上に設置される床面材（図示無し）と、際根太２と、支持部材３とからなる振動系において、二つの支持部材３，３が近接している部位のみが部分的に硬くなる。すると、床面材と際根太２と支持部材３とからなる振動系の共振周波数が高くなる。これにより、床面材上の音や振動が躯体のスラブ５に伝わりやすくなり、防振、防音の観点で不利となる。
【０００４】
これに対し、特許文献１には、二本の際根太どうしが連続する部分で、二本の際根太の端部を、一つの支持部材の受板部の両端部上で支持する構成が開示されている。
しかし、特許文献１に記載された構成においては、際根太を、支持部材の受板部上に単に載置しているのみである。したがって、特に施工中において、際根太が受板部から落ちてしまうことがあり、施工が煩雑となってしまう。
【０００５】
そこで、図１３に示すような支持部材の受け具６Ａ，６Ｂが用いられている。
図１３（ａ）に示す受け具６Ａは、二本の際根太２，２を直接的に連続して配置する場合に用いるものである。受け具６Ａは、支持脚７上に設けられ、際根太２，２の端部を支持する受板部８と、受板部８から上方に突出形成されたガイド爪９Ａとを備えている。
ガイド爪９Ａは、二個一対で、平面視長方形状の受板部８の長手方向両端部にそれぞれ設けられている。二個一対のガイド爪９Ａ，９Ａは、受板部８の短手方向両端部（幅方向両端部）に対向配置されている。各際根太２は、受板部８の長手方向の一端側に、ガイド爪９Ａ，９Ａ間に挿入されて載置される。際根太２は、ガイド爪９Ａ，９Ａ間に挟み込まれることで、受板部８上で際根太２の幅方向に位置ズレしないようになっている。
【０００６】
図１３（ｂ）に示す受け具６Ｂは、二本の際根太２，２を直交して配置する場合に用いるものである。受け具６Ｂの受板部８上には、長手方向一端側にガイド爪９Ｂ，９Ｂが設けられ、長手方向他端側にガイド爪９Ｃ，９Ｃが設けられている。
一端側のガイド爪９Ｂ，９Ｂは、図１３（ａ）のガイド爪９Ａ，９Ａと同様、受板部８の幅方向両端部に対向配置されている。ガイド爪９Ｂ，９Ｂには、受板部８の長手方向に連続する際根太２Ａの端部が挿入配置される。
受板部８の他端側のガイド爪９Ｃ，９Ｃは、受板部９の長手方向に沿って対向配置されている。このガイド爪９Ｃ，９Ｃの間には、受板部９の短手方向に沿って連続する際根太２Ｂの端部が挿入配置される。
【先行技術文献】
【特許文献】
【０００７】
【特許文献１】特開２００７−１７７３９２号公報
【発明の概要】
【発明が解決しようとする課題】
【０００８】
しかしながら、図１３（ａ）、（ｂ）に示したような受け具６Ａ，６Ｂを有する支持部材を用いた構成では、際根太２，２を直線状に配置する場合には図１３（ａ）に示す受け具６Ａを用い、際根太２，２を直交して配置する場合には図１３（ｂ）に示す受け具６Ｂを用いる必要がある。
すると、施工現場で用いる支持部材の部品の種類数が増え、部品の手配や管理の手間がかかる。
そこでなされた本発明の目的は、使用する部品の種類数を抑え、手配や管理の手間を抑えることのできる際根太支持部材およびそれを用いた二重床を提供することである。
【課題を解決するための手段】
【０００９】
本発明は、上記課題を解決するため、以下の手段を採用する。
すなわち、本発明の際根太支持部材は、二本の際根太のそれぞれの端部を上面に載せて支持する受け部材と、前記受け部材を支持する支持脚と、前記受け部材から上方に突出し、二本の前記際根太のそれぞれの幅方向への移動を規制する移動規制部材と、を備え、前記移動規制部材は、前記受け部材で支持する前記際根太の軸方向の向きが切り替え可能に設けられていることを特徴とする。
【００１０】
このような際根太支持部材によれば、移動規制部材により、受け部材上に支持された際根太の幅方向への移動が規制される。この移動規制部材は、受け部材上で支持する際根太の軸方向が切り替え可能であるので、一種類の際根太支持部材で、際根太を複数の異なる向きで支持することができる。
【００１１】
また、前記移動規制部材は、前記受け部材の表面に沿った第一の方向の端部に設けられた第一の移動規制部材と、前記受け部材の表面に沿い前記第一の方向と直交する第二の方向の端部に設けられた第二の移動規制部材と、を備え、前記第一の移動規制部材および前記第二の移動規制部材は、前記受け部材から除去可能に設けられているようにしてもよい。
これにより、第一の移動規制部材を除去すれば、第一の方向に軸方向を合わせた際根太を、第一の方向の端部から差し込んで、受け部材上で支持することができる。また、第二の移動規制部材を除去すれば、第二の方向に軸方向を合わせた際根太を、第二の方向の端部から差し込んで受け部材上で支持することができる。このようにして、第一の移動規制部材および第二の移動規制部材のいずれか一方を受け部材から除去することで、受け部材上で際根太を複数の異なる向きで支持することができる。
【００１２】
また、前記移動規制部材は、前記受け部材の表面に沿った第一の方向の端部を塞ぐ状態と、前記受け部材の表面に沿い前記第一の方向と直交する第二の方向の端部を塞ぐ状態とで、切り替え可能とされているようにしてもよい。
これにより、移動規制部材で、受け部材の第一の方向の端部を塞ぐ状態とすれば、際根太を第二の方向から差し込んで受け部材上で支持することができる。また、移動規制部材で受け部材の第二の方向の端部を塞ぐ状態とすれば、際根太を第一の方向から差し込んで受け部材上で支持することができる。
【００１３】
また、前記移動規制部材は、前記受け部材の表面に沿った第一の方向に連続する固定壁と、前記固定壁に対して第二の方向に間隔を空けて対向し、前記第一の方向に間隔を空けて設けられた複数のガイドピンと、を備えているようにしてもよい。
これにより、際根太の軸方向の向きを第一の方向に合わせた場合、際根太を、第一の方向の端部から固定壁と複数のガイドピンとの間に差し込んで受け部材上で支持することができる。また、際根太の軸方向の向きを第二の方向に合わせた場合、際根太を、互いに隣接する二本のガイドピンの間に差し込んで受け部材上で支持することができる。
【００１４】
本発明の二重床は、スラブ上に設置された、上記したような際根太支持部材と、前記際根太支持部材上に支持された際根太と、前記際根太上に設けられた床板材と、を備えることを特徴とする。
このような二重床によれば、一種類の際根太支持部材で、二重床を構成する際根太を複数の異なる向きで支持することができる。これにより、際根太を様々なレイアウトで配置するにしても、少ない種類の際根太支持部材を用意すればよい。
【発明の効果】
【００１５】
本発明の際根太支持部材およびそれを用いた二重床によれば、一種類の際根太支持部材で、二重床を構成する際根太を複数の異なる向きで支持することができるようになるので、使用する部品の種類数を抑え、手配や管理の手間を抑えることが可能となる。
【図面の簡単な説明】
【００１６】
【図１】第１の実施形態にかかる二重床の概略構成を示す斜視断面図である。
【図２】この実施形態にかかる際根太支持部材の構成を示す斜視図である。
【図３】（ａ）は上記際根太支持部材の受け部材の平面図、（ｂ）は受け部材の立断面図である。
【図４】際根太支持部材で、二本の際根太を直線状に連続させて支持する場合の構成を示す平面図である。
【図５】際根太支持部材で、二本の際根太を入隅部に沿わせて支持する場合の構成を示す平面図である。
【図６】際根太支持部材で、二本の際根太を出隅部に沿わせて支持する場合の構成を示す平面図である。
【図７】第２の実施形態にかかる際根太支持部材の構成を示す斜視図である。
【図８】第３の実施形態にかかる際根太支持部材の構成を示す斜視図である。
【図９】図８の際根太支持部材で、二本の際根太を直線状に連続させて支持する場合の構成を示す平面図である。
【図１０】図８の際根太支持部材で、二本の際根太を入隅部に沿わせて支持する場合の構成を示す平面図である。
【図１１】図８の際根太支持部材で、二本の際根太を出隅部に沿わせて支持する場合の構成を示す平面図である。
【図１２】一般的な二重床構造の構成を示す斜視断面図である。
【図１３】既存の際根太支持部材の例を示す図であり、（ａ）は二本の際根太を直線状に連続させて支持する際根太支持部材の受け部材を示す斜視図、（ｂ）は二本の際根太を直交させて支持する受け部材を示す斜視図である。
【発明を実施するための形態】
【００１７】
以下、添付図面を参照して、本発明による際根太支持部材およびそれを用いた二重床を実施するための形態について、図面に基づいて説明する。
【００１８】
（第１の実施形態）
図１は、第１の実施形態にかかる二重床の概略構成を示す斜視断面図である。図２は、この実施形態にかかる際根太支持部材の構成を示す斜視図である。図３において、（ａ）は上記際根太支持部材の受け部材の平面図、（ｂ）は受け部材の立断面図である。
図１に示すように、二重床１０は、建物の躯体を構成するスラブ１１上に設置された、際根太支持部材２０Ａと、際根太支持部材２０Ａ上に支持された際根太１２と、際根太１２上に設けられた床板材１３と、を備える。
【００１９】
際根太１２は、スラブ１１から上方に向けて延びるよう形成された壁体１４に沿うように設けられている。際根太１２は、所定長のものを複数本連続させて設けられている。
【００２０】
際根太支持部材２０Ａは、各際根太１２の少なくとも両端部にそれぞれ配置されている。また、際根太１２の長さ等によっては、際根太支持部材２０Ａは、際根太１２の長さ方向中間部にも配置されている。
【００２１】
図２に示すように、際根太支持部材２０Ａは、受け部材２１と、支持脚２２と、移動規制部材２３と、を備えている。
【００２２】
受け部材２１は、平面視長方形状の板材からなる。受け部材２１は、二本の際根太１２，１２のそれぞれの端部を上面に載せて支持する。
受け部材２１の中央部には、上下に貫通する貫通孔２４が形成されている。貫通孔２４には、雌ネジ孔２５ｈが形成されたボス２５が装着されている。
【００２３】
支持脚２２は、棒状の支持脚本体２２ａと、支持脚本体２２ａの下端部に装着されたゴム系材料、樹脂系材料等からなる接地部２２ｂと、を備えている。支持脚本体２２ａの上端部には図示しない雄ネジが形成され、ボス２５に形成された雌ネジ孔２５ｈにねじ込むことによって、支持脚２２が受け部材２１に一体に接合されている。そして、支持脚２２を受け部材２１に対して回転させることによって、受け部材２１の高さ調整が行えるようになっている。
ここで、ボス２５に形成された雌ネジ孔２５ｈのネジ径が互いに異なる複数種のボス２５を用意しておくようにしてもよい。これにより、受け部材２１に形成された貫通孔２４に装着するボス２５の種類を適宜選択することで、雌ネジ孔２５ｈのネジ径を変更することができる。すると、様々なネジ径の雄ネジを有した支持脚２２を受け部材２１に装着可能となる。
【００２４】
図２、図３に示すように、移動規制部材２３は、受け部材２１の上面から上方に向けて突出するよう設けられる。このような移動規制部材２３は、受け部材２１上に載置される二本の際根太１２のそれぞれの端部の側面に沿って位置することで、際根太１２の幅方向への移動を規制する。
この移動規制部材２３は、後述するようにして、受け部材２１で支持する際根太１２の軸方向の向きを、受け部材２１の長手方向（第一の方向）Ｌと、受け部材２１の短手方向（第二の方向）Ｓとに、切り替え可能に設けられている。
【００２５】
この実施形態において、際根太支持部材２０Ａは、移動規制部材２３として、第一固定壁（移動規制部材）３１と、第二固定壁（移動規制部材）３２と、第一可折壁（移動規制部材、第一の移動規制部材）３３と、第二可折壁（移動規制部材、第二の移動規制部材）３４と、を備えている。
【００２６】
第一固定壁３１は、受け部材２１の短手方向Ｓの一方の側において、受け部材２１から上方に突出し、受け部材２１の長手方向Ｌの全長にわたって連続するよう設けられている。
【００２７】
第二固定壁３２は、受け部材２１の短手方向Ｓの他方の側において、受け部材２１から上方に突出するよう形成されている。この第二固定壁３２は、受け部材２１の長手方向Ｌの一方の側にのみ、長手方向Ｌに沿って連続するよう設けられている。
【００２８】
第一可折壁３３は、受け部材２１の長手方向Ｌにおいて、第二固定壁３２が設けられている側とは反対側の端部２１ｓに設けられている。この第一可折壁３３は、第一固定壁３１と直交し、受け部材２１の短手方向Ｓに沿って連続するよう設けられている。
【００２９】
第二可折壁３４は、受け部材２１の短手方向Ｓの他方の側の端部２１ｔに設けられている。この第二可折壁３４は、受け部材２１の長手方向Ｌの他方の側にのみ、長手方向Ｌに沿って連続するよう設けられている。
【００３０】
これら第一可折壁３３，第二可折壁３４は、受け部材２１から、第一固定壁３１及び第二固定壁３２よりも上方に突出して形成されている。
また、図３（ｂ）に示すように、第一可折壁３３，第二可折壁３４は、それぞれ、受け部材２１側の根元部に、切り込み３５が形成されている。この切り込み３５により、第一可折壁３３，第二可折壁３４は、それぞれ、上端部３３ａ，３４ａを受け部材２１から外方に向けて押圧すると、第一可折壁３３，第二可折壁３４が外方に容易に倒れ、受け部材２１から折り取って除去できるようになっている。
ここで、切り込み３５は、第一可折壁３３，第二可折壁３４の根元部において、受け部材２１の内周側を向く壁面３３ｆ、３４ｆの鉛直下方位置に、受け部材２１の下面２１ｂから上方に向けて凹となるよう溝状に形成されている。これにより、第一可折壁３３，第二可折壁３４は、切り込み３５の位置で受け部材２１から折ることによって、第一可折壁３３，第二可折壁３４の下方の受け部材２１ごと折り取られるため、受け部材２１の上面２１ｆには、バリが残らない。
【００３１】
なお、受け部材２１および移動規制部材２３は、第一可折壁３３，第二可折壁３４を折り取ることから、樹脂材料や金属材料で形成するのが好ましい。
【００３２】
図４は、際根太支持部材で、二本の際根太を直線状に連続させて支持する場合の構成を示す平面図である。図５は、際根太支持部材で、二本の際根太を入隅部に沿わせて支持する場合の構成を示す平面図である。図６は、際根太支持部材で、二本の際根太を出隅部に沿わせて支持する場合の構成を示す平面図である。
図４に示すように、このような際根太支持部材２０Ａにおいては、二本の際根太１２，１２を直線的に配置する場合であれば、受け部材２１の一方の側（図４において下側）においては、第一固定壁３１と第二固定壁３２との間に、一方の際根太１２の端部を差し込んで保持することができる。これにより、一方の際根太１２は、第一固定壁３１と第二固定壁３２とが、際根太１２の端部の側面に沿って両側に位置することで、幅方向への移動が規制される。
受け部材２１の他方の側（図４において上側）においては、第一可折壁３３を折り取って除去する。すると、長手方向Ｌに軸方向を合わせた際根太１２を、長手方向Ｌの端部２１ｓ側から差し込んで、受け部材２１上で支持することができる。この状態で、他方の際根太１２は、第一固定壁３１と、第二可折壁３４との間に位置し、その幅方向への移動が規制されている。
【００３３】
また、図５に示すように、二本の際根太１２，１２を、壁体１４の入隅部１４ａに配置する場合であれば、第二可折壁３４を折り取って除去する。そして、第一固定壁３１および第一可折壁３３を、入隅部１４ａの両側の壁体１４に沿うよう配置する。
そして、受け部材２１の一方の側（図５において右側）においては、第一固定壁３１と第二固定壁３２との間に、一方の際根太１２の端部を差し込んで保持する。
受け部材２１の他方の側（図５において左側）においては、短手方向Ｓに軸方向を合わせた際根太１２を、短手方向Ｓの端部２１ｔから差し込んで受け部材２１上で支持する。この状態で、他方の際根太１２は、第二固定壁３２の端部３２ｔと、第一可折壁３３との間に位置し、その幅方向への移動が規制されている。
【００３４】
また、図６に示すように、二本の際根太１２，１２を、壁体１４の出隅部１４ｂに配置する場合であれば、第二可折壁３４を折り取って除去する。そして、第二固定壁３２が出隅部１４ｂの一方の側の壁体１４に沿うよう、受け部材２１を配置する。
そして、受け部材２１の一方の側（図６において右側）においては、第一固定壁３１と第二固定壁３２との間に、一方の際根太１２の端部を差し込んで保持する。
受け部材２１の他方の側（図６において左側）においては、短手方向Ｓに軸方向を合わせた際根太１２を、短手方向Ｓの端部２１ｔから差し込んで受け部材２１上で支持する。この状態で、他方の際根太１２は、第二固定壁３２の端部３２ｔと、第一可折壁３３との間に位置し、その幅方向への移動が規制されている。
【００３５】
上述した際根太支持部材２０Ａおよびそれを用いた二重床１０によれば、移動規制部材２３を構成する第一可折壁３３および第二可折壁３４が、受け部材２１から除去可能に設けられている。これにより、第一可折壁３３および第二可折壁３４のいずれか一方を受け部材２１から除去することで、受け部材２１上で際根太１２を複数の異なる向きで支持することができる。
【００３６】
そして、移動規制部材２３により、受け部材２１上に支持された際根太１２の幅方向への移動が規制される。移動規制部材２３は、受け部材２１上で支持する際根太１２の軸方向を切り替え可能であるので、一種類の際根太支持部材２０Ａで、際根太１２を複数の異なる向きで支持することができる。
【００３７】
このようにして、一種類の際根太支持部材２０Ａで、二重床１０を構成する際根太１２を複数の異なる向きで支持することができるようになるので、施工現場で使用する部品の種類数を抑えることができる。その結果、部品の手配や管理の手間を抑えることが可能となる。
【００３８】
なお、上記第１の実施形態において、際根太１２が受け部材２１上でガタつくのを抑えるため、受け部材２１の上面２１ｆに、フェルトやゴム等の弾性を有した材料を貼り付け、その上に際根太１２を載置するようにしてもよい。これにより、際根太１２に反りや捩れが生じていた場合にも、際根太１２が受け部材２１上でガタつくのを抑えることができる。
【００３９】
また、上記第１の実施形態において、受け部材２１の長手方向の一方の側に第二固定壁３２を設け、他方の側に第一可折壁３３および第二可折壁３４を設けるようにしたが、これに限らない。受け部材２１の長手方向の一方の側にも、第二固定壁３２に代えて、第一可折壁３３および第二可折壁３４を設けるようにしてもよい。
【００４０】
（第２の実施形態）
次に、本発明にかかる際根太支持部材およびそれを用いた二重床の第２の実施形態について説明する。なお、以下に説明する第２の実施形態においては、上記第１の実施形態と共通する構成については図中に同符号を付してその説明を省略する。
図７は、第２の実施形態にかかる際根太支持部材の構成を示す斜視図である。
この図７に示すように、際根太支持部材２０Ｂは、受け部材２１と、支持脚２２と、移動規制部材２３と、を備えている。
なお、受け部材２１および移動規制部材２３は、樹脂材料や金属材料で形成するのが好ましい。
【００４１】
この実施形態において、際根太支持部材２０Ｂは、移動規制部材２３として、第一固定壁３１と、第二固定壁３２と、可動壁（移動規制部材）４０と、を備えている。
【００４２】
可動壁４０は、受け部材２１上に設けられた回動軸４１を介し、受け部材２１の上面２１ｆに直交する軸周りに回動自在に設けられている。回動軸４１は、受け部材２１において、第一固定壁３１とは反対側の角部に設けられている。
可動壁４０において、回動軸４１とは反対側の先端部の下面には、下方に向けて突出するガイド突起４２が形成されている。受け部材２１の上面２１ｆには、可動壁４０が回動軸４１周りに回動したときに、ガイド突起４２を案内するガイド溝４４が形成されている。
【００４３】
このような可動壁４０は、回動軸４１周りに回動することで、受け部材２１の長手方向Ｌの端部（第一の方向の端部）２１ｓを塞ぐ状態と、受け部材２１の短手方向Ｓの端部（第二の方向の端部）２１ｔを塞ぐ状態とで、切り替え可能とされている。
【００４４】
これにより、図４に示すように、二本の際根太１２，１２を直線的に配置する場合であれば、可動壁４０で、移動規制部材２３で受け部材２１の短手方向Ｓの端部を塞ぐ状態とする。これにより、際根太１２を長手方向Ｌから差し込んで受け部材２１上で支持することができる。
また、図５、図６に示すように、二本の際根太１２，１２を、壁体１４の入隅部１４ａに配置する場合や、二本の際根太１２，１２を、壁体１４の出隅部１４ｂに配置する場合には、可動壁４０で、受け部材２１の長手方向Ｌの端部２１ｓを塞ぐ状態とする。これにより、際根太１２を短手方向Ｓから差し込んで受け部材２１上で支持することができる。
【００４５】
ここで、ガイド突起４２は、不図示のバネ等により、下方に向けて付勢されるようにし、ガイド溝４４の底面に、ガイド突起４２が嵌まり込む凹部（図示無し）を形成するようにしても良い。凹部は、可動壁４０が受け部材２１の長手方向Ｌの端部２１ｓを塞ぐ状態と、受け部材２１の短手方向Ｓの端部２１ｔを塞ぐ状態とで、それぞれガイド突起４２が嵌まり込む位置に形成する。これにより、可動壁４０が不用意に動くのを防止できる。
【００４６】
上述した際根太支持部材２０Ｂおよびそれを用いた二重床１０によれば、移動規制部材２３を構成する可動壁４０により、受け部材２１上で支持する際根太１２の軸方向を切り替え可能であるので、一種類の際根太支持部材２０Ｂで、際根太１２を複数の異なる向きで支持することができる。したがって、使用する部品の種類数を抑えることができる。その結果、部品の手配や管理の手間を抑えることが可能となる。
【００４７】
また、上記第２の実施形態において、受け部材２１の長手方向の一方の側に第二固定壁３２を設け、他方の側に可動壁４０を設けるようにしたが、これに限らない。受け部材２１の長手方向の一方の側にも、第二固定壁３２に代えて、可動壁４０を設けるようにしてもよい。
【００４８】
（第３の実施形態）
次に、本発明にかかる際根太支持部材およびそれを用いた二重床の第３の実施形態について説明する。なお、以下に説明する第３の実施形態においては、上記第１、第２の実施形態と共通する構成については図中に同符号を付してその説明を省略する。
図８は、第３の実施形態にかかる際根太支持部材の構成を示す斜視図である。図９は、図８の際根太支持部材で、二本の際根太を直線状に連続させて支持する場合の構成を示す平面図である。図１０は、図８の際根太支持部材で、二本の際根太を入隅部に沿わせて支持する場合の構成を示す平面図である。図１１は、図８の際根太支持部材で、二本の際根太を出隅部に沿わせて支持する場合の構成を示す平面図である。
図８に示すように、際根太支持部材２０Ｃは、受け部材２１と、支持脚２２と、移動規制部材２３と、を備えている。
【００４９】
この実施形態において、際根太支持部材２０Ｃは、移動規制部材２３として、第一固定壁（固定壁）３１と、複数本のガイドピン（移動規制部材）６０と、を備えている。
【００５０】
また、第一固定壁３１は、受け部材２１の短手方向Ｓの一方の端部において、長手方向Ｌに連続して形成されている。複数本のガイドピン６０は、第一固定壁３１に対して短手方向Ｓに間隔を空けて配列されている。これら複数のガイドピン６０は、長手方向Ｌに間隔を空けて設けられている。
ガイドピン６０は、受け部材２１上において、長手方向Ｌの一方の側と他方の側に、それぞれ２本ずつ設けられている。そして、長手方向Ｌの一方の側と他方の側において、互いに隣接する２本のガイドピン６０，６０の間隔は、際根太１２の幅寸法以上に設定されている。
【００５１】
これにより、図９に示すように、二本の際根太１２，１２を直線的に配置する場合、際根太１２の軸方向の向きを長手方向Ｌに合わせ、際根太１２を、長手方向Ｌの端部から、第一固定壁３１と複数のガイドピン６０，６０との間に差し込んで受け部材２１上で支持する。
また、図１０、図１１に示すように、二本の際根太１２，１２を、壁体１４の入隅部１４ａに配置する場合や、二本の際根太１２，１２を、壁体１４の出隅部１４ｂに配置する場合には、一方（図１０、図１１において左方）の際根太１２の軸方向の向きを短手方向Ｓに合わせる。そして、この際根太１２を、互いに隣接する二本のガイドピン６０，６０の間に差し込んで受け部材２１上で支持することができる。
【００５２】
上述した際根太支持部材２０Ｃおよびそれを用いた二重床１０によれば、移動規制部材２３を構成する複数本のガイドピン６０により、受け部材２１上で支持する際根太１２の軸方向を切り替え可能であるので、一種類の際根太支持部材２０Ｂで、際根太１２を複数の異なる向きで支持することができる。したがって、使用する部品の種類数を抑えることができる。その結果、部品の手配や管理の手間を抑えることが可能となる。
【００５３】
（その他の実施形態）
なお、本発明の際根太支持部材およびそれを用いた二重床は、図面を参照して説明した上述の各実施形態に限定されるものではなく、その技術的範囲において様々な変形例が考えられる。
また、本発明の主旨を逸脱しない限り、上記実施の形態で挙げた構成を取捨選択したり、他の構成に適宜変更したりすることが可能である。
【符号の説明】
【００５４】
１０    二重床
１１    スラブ
１２    際根太
１３    床板材
２０Ａ、２０Ｂ、２０Ｃ    際根太支持部材
２１    受け部材
２１ｓ    端部（第一の方向の端部）
２１ｔ    端部（第二の方向の端部）
２２    支持脚
２３    移動規制部材
３１    第一固定壁（移動規制部材、固定壁）
３２    第二固定壁（移動規制部材）
３３    第一可折壁（移動規制部材、第一の移動規制部材）
３４    第二可折壁（移動規制部材、第二の移動規制部材）
４０    可動壁（移動規制部材）
６０    ガイドピン（移動規制部材）
Ｌ    長手方向（第一の方向）
Ｓ    短手方向（第二の方向）
【図１】
2015203217.tif 000003
【図２】
2015203217.tif 000004
【図３】
2015203217.tif 000005
【図４】
2015203217.tif 000006
【図５】
2015203217.tif 000007
【図６】
2015203217.tif 000008
【図７】
2015203217.tif 000009
【図８】
2015203217.tif 000010
【図９】
2015203217.tif 000011
【図１０】
2015203217.tif 000012
【図１１】
2015203217.tif 000013
【図１２】
2015203217.tif 000014
【図１３】
2015203217.tif 000015